(57)【要約】【課題】物品を任意の姿勢にして支持することができ、商品の展示や小物類の支持に非常に好適な物品支持装置を提供する。【解決手段】物品を支持する支持板１と、支持板１を保持する保持体２と、支持板１を任意の角度に設定するセレーション機構を備えると共に、セレーション機構が、互いに任意の回動位置で軸線方向に係脱自在なセレーション軸４とセレーション穴３を備えており、支持板１及び保持体２のいずれか一方にセレーション軸４を設けると共に、他方にセレーション穴３を設けた物品支持装置とし、物品を任意の姿勢にして支持し得るものとした。【選択図】  図１
2005095589.tif 000002
【特許請求の範囲】
【請求項１】
物品を支持する支持板と、支持板を保持する保持体と、支持板を任意の角度に設定するセレーション機構を備えると共に、セレーション機構が、互いに任意の回動位置で軸線方向に係脱自在なセレーション軸とセレーション穴を備えており、支持板及び保持体のいずれか一方にセレーション軸を設けると共に、他方にセレーション穴を設けたことを特徴とする物品支持装置。
【請求項２】
保持体が、支持板の両端を保持する二つの保持脚を備え、支持板の両端及び各保持脚のいずれか一方にセレーション軸を設けると共に、他方にセレーション穴を設けたことを特徴とする請求項１に記載の物品支持装置。
【請求項３】
支持板が、セレーション軸又はセレーション穴を有する支持具を係脱可能に備えていることを特徴とする請求項２に記載の物品支持装置。
【請求項４】
支持板が、互いに係脱可能であり且つ同一平面状に連結される複数の支持プレートを備えていることを特徴とする請求項２又は３に記載の物品支持装置。
【請求項５】
セレーション穴を貫通孔とし、このセレーション穴の内部に内向きに突出した環状部を設け、セレーション穴の一端側からセレーション軸を係合させると共に、セレーション穴の他端側から同セレーション穴よりも小径の頭部を有する抑えねじを設け、且つ環状部と抑えねじの頭部との間にスプリングを介装すると共に、環状部に通した抑えねじをセレーション軸に螺着し、スプリングの圧縮代の範囲でセレーション軸とセレーション穴が係脱することを特徴とする請求項１〜４のいずれかに記載の物品支持装置。
【請求項６】
支持板が、傾斜状態において物品の下部を受ける支持突部を備えていることを特徴とする請求項１〜５のいずれかに記載の物品支持装置。
【請求項７】
支持板が、内部に光源を収容した本体部分と、本体部分の表側を形成する透光板を備えていることを特徴とする請求項１〜６のいずれかに記載の物品支持装置。
【発明の詳細な説明】
【技術分野】
【０００１】
本発明は、物品支持装置に関し、とくに、商品の展示や小物類の支持に用いるのに好適な物品支持装置に関するものである。
【背景技術】
【０００２】
近年、商品やサービスの宣伝・広告を省スペースで行うことができ、しかも商品等を目立たせ、消費者の購買意欲を喚起するためのものとして、いわゆるＰＯＰ製品が種々開発されている。これらのＰＯＰ製品において、例えば商品を展示するためのＰＯＰ用の物品支持装置としては、ボードに商品を貼り付けたりクリップで挟み付けたりするものがあった。
【発明の開示】
【発明が解決しようとする課題】
【０００３】
ところが、上記したような従来のＰＯＰ用の物品支持装置にあっては、ボードに固定手段を介して商品を取付けていたため、商品の展示姿勢が限られたものとなって、商品のアピール性が充分であるとは言い難い面があり、ＰＯＰ用としての機能をより充実させることが望まれていた。
【課題を解決するための手段】
【０００４】
本発明は、上記従来の状況に鑑みて成されたもので、物品を任意の姿勢にして支持することができ、商品の展示や小物類の支持に非常に好適な物品支持装置を提供することを目的としている。
【０００５】
本発明の物品支持装置は、請求項１として、物品を支持する支持板と、支持板を保持する保持体と、支持板を任意の角度に設定するセレーション機構を備えると共に、セレーション機構が、互いに任意の回動位置で軸線方向に係脱自在なセレーション軸とセレーション穴を備えており、支持板及び保持体のいずれか一方にセレーション軸を設けると共に、他方にセレーション穴を設けた構成とし、請求項２として、保持体が、支持板の両端を保持する二つの保持脚を備え、支持板の両端及び各保持脚のいずれか一方にセレーション軸を設けると共に、他方にセレーション穴を設けた構成とし、請求項３として、支持板が、セレーション軸又はセレーション穴を有する支持具を係脱可能に備えている構成とし、請求項４として、支持板が、互いに係脱可能であり且つ同一平面状に連結される複数の支持プレートを備えている構成としており、上記構成をもって従来の課題を解決するための手段としている。
【０００６】
また、本発明の物品支持装置のより好ましい実施形態としては、請求項５として、セレーション穴を貫通孔とし、このセレーション穴の内部に内向きに突出した環状部を設け、セレーション穴の一端側からセレーション軸を係合させると共に、セレーション穴の他端側から同セレーション穴よりも小径の頭部を有する抑えねじを設け、且つ環状部と抑えねじの頭部との間にスプリングを介装すると共に、環状部に通した抑えねじをセレーション軸に螺着し、スプリングの圧縮代の範囲でセレーション軸とセレーション穴が係脱することを特徴としている。
【０００７】
さらに、本発明の物品支持装置のより好ましい実施形態としては、請求項６として、支持板が、傾斜状態において物品の下部を受ける支持突部を備えていることを特徴とし、請求項７として、支持板が、内部に光源を収容した本体部分と、本体部分の表側を形成する透光板を備えていることを特徴としている。
【０００８】
本発明の請求項１に係わる物品支持装置は、保持体により起立状態となり、支持板上に載置した物品を支持する。このとき、物品支持装置では、支持板と保持体が、セレーション機構すなわち互いに任意の回動位置で軸線方向に係脱自在なセレーション軸とセレーション穴により連結してあるので、セレーション軸とセレーション穴を外して任意の回動位置で再び係合することにより、支持板を任意の角度に設定し得る。つまり、得ようとする物品の姿勢に対応して支持板の角度を自由に設定し得る。
【０００９】
本発明の請求項２に係わる物品支持装置では、保持体を構成する二つの保持脚で支持板の両端を保持して、支持板を任意の角度に設定し得る。
【００１０】
本発明の請求項３に係わる物品支持装置では、支持板が、セレーション軸又はセレーション穴を有する支持具を係脱可能に備えているので、異なる支持板との交換や、支持板の保持位置の変更に対処し得る。
【００１１】
本発明の請求項４に係わる物品支持装置では、支持板が、互いに係脱可能であり且つ同一平面状に連結される複数の支持プレートを備えているので、支持する物品の大きさ等に対応して、支持プレートの数を増減することで支持体の大きさを変更し得る。
【００１２】
本発明の請求項５に係わる物品支持装置では、とくにセレーション機構において、貫通孔であるセレーション穴の一端側からセレーション軸を係合させると共に、セレーション穴の他端側から同セレーション穴よりも小径の頭部を有する抑えねじを設け、且つセレーション穴の内部に設けた環状部と抑えねじの頭部との間にスプリングを介装すると共に、環状部に通した抑えねじをセレーション軸に螺着しており、この状態で支持板と保持体を連結している。
【００１３】
そして、支持板の角度を変更するには、スプリングを圧縮しつつセレーション穴からセレーション軸を離脱させ、スプリングの反発力に抗した状態で双方を任意の回動位置にする。この際、物品支持装置では、セレーション穴とセレーション軸は外れるが、環状部、スプリング及び抑えねじによってそれ以上の抜けを阻止することとなり、また、任意の回動位置に変更した後には、スプリングの反発力によってセレーション穴とセレーション軸を再係合し得る。
【００１４】
本発明の請求項６に係わる物品支持装置では、傾斜状態にした支持板で物品を支持するに際して、支持板に物品の下部を受ける支持突部を設けているので、その物品を安定して支持し得ることとなる。
【００１５】
本発明の請求項７に係わる物品支持装置では、光源及び透光板によって支持板に照明機能が付加されたものとなり、支持板で支持した物品に対して背後から照明を行うことで展示機能を高める。
【発明の効果】
【００１６】
本発明の請求項１に係わる物品支持装置によれば、セレーション機構により、保持体に対して支持板の角度を自由に設定し且つその状態を確実に維持することができるので、物品を任意の姿勢にして支持することができ、商品の展示や小物類の支持に非常に好適なものとなる。
【００１７】
また、上記物品支持装置は、ＰＯＰ用の展示台として用いた場合には、商品等を立体的に目立つ状態で展示することができると共に、固定手段を必要としないので商品等を手に取って見ることもきわめて簡単であり、充分なアピール性をもたらすものとなる。さらに、ＰＯＰ用の展示台としてだけでなく、眼鏡、腕時計およびアクセサリーなどの小物類を置く支持台として使用することもでき、この場合にも、物品を立体的に支持しているので、小物類の所在が判り易く、紛失の防止にもなるなどの利点がある。
【００１８】
本発明の請求項２に係わる物品支持装置によれば、請求項１と同様の効果を得ることができるうえに、保持体を構成する二つの保持脚で支持板の両端を保持することから、当該物品支持装置の姿勢がより安定したものとなり、物品の支持機能を向上させることができると共に、大型の物品にも対処することができる。
【００１９】
本発明の請求項３に係わる物品支持装置によれば、請求項２と同様の効果を得ることができるうえに、支持板と、セレーション軸又はセレーション穴を有する支持具とが係脱可能であることから、物品の大きさや形状に対応して異なる支持板と交換したり、支持板の保持位置を変更したりすることが可能となり、物品の支持機能をより高めることができる。
【００２０】
本発明の請求項４に係わる物品支持装置によれば、請求項２及び３と同様の効果を得ることができるうえに、支持板を複数の支持プレートで構成したことにより、物品の大きさや形状に対応して、支持プレートの数を増減することで支持体の大きさを変更することができ、物品の支持機能のさらなる向上を実現する。
【００２１】
本発明の請求項５に係わる物品支持装置によれば、請求項１〜４と同様の効果を得ることができるうえに、セレーション機構において、貫通孔から成るセレーション穴、セレーション軸、環状部、抑えねじ及びスプリングを採用したことにより、セレーション穴とセレーション軸との係合状態をより確実に維持して、支持板と保持体が不用意に外れるのを防止することができ、また、支持板の角度を変更する場合にも、支持板と保持板が完全に分離するのを防止すると共に、セレーション穴とセレーション軸との再係合を容易に行うことができる。
【００２２】
本発明の請求項６に係わる物品支持装置によれば、請求項１〜５と同様の効果を得ることができるうえに、支持板に、傾斜状態において物品の下部を受ける支持突部を備えたことにより、大型の物品であってもこれを安定して支持することができる。
【００２３】
本発明の請求項７に係わる物品支持装置によれば、請求項１〜６と同様の効果を得ることができるうえに、光源及び透光板を備えた支持板を採用したことにより、支持板上の物品に対して背後から照明を行って、物品をより一層際立たせて展示することができ、ＰＯＰ用品としての展示機能を大幅に高めることができる。
【実施例】
【００２４】
図１（ａ）（ｂ）に示す物品支持装置は、物品を支持する支持板１と、支持板１を保持する保持体２と、支持板１を任意の角度に設定するセレーション機構を備えている。図示例の支持板１は、例えば透明なプラスチック製であって、矩形状を成しており、下面には、その面と平行な方向にセレーション穴３を形成した連結部１ａが突出状態に設けてある。
【００２５】
他方、保持体２は、例えば透明又は適宜の着色を施したブラスチック製であって、矩形状を成す下側の第１保持片２ａと、第１保持片２ａの端部から所定の角度を成して連続する矩形状の第２保持片２ｂを備え、第２保持片２ｂの上端に、その辺と平行な方向にセレーション軸４を備えた連結部２ｃが設けてある。
【００２６】
セレーション機構は、上記のセレーション穴３とセレーション軸４を備えたものである。セレーション穴３及びセレーション軸４は、内周又は外周に、軸線方向に沿う凹凸を全周にわたって形成したものであるが、いずれか一方に、凹凸を全周にわたって形成し、他方に、周方向に所定の間隔で凸部を形成したものでも良い。そして、セレーション穴３とセレーション軸４は、互いに任意の回動位置で軸線方向に係脱自在であり、凹凸同士の係合により回動不能となる。
【００２７】
また、この実施例のセレーション機構では、セレーション穴３を貫通孔とし、図１（ｃ）に示すように、セレーション穴３の内部に内向きに突出した環状部３ａを設けると共に、抑えねじ５と、スプリング（圧縮コイルスプリング）６を備えている。抑えねじ５は、セレーション穴３よりも小径の頭部と、環状部３の内孔よりも小径のねじ部を有している。
【００２８】
そして、セレーション機構は、セレーション穴３の一端側からセレーション軸４を係合させると共に、セレーション穴３の他端側から抑えねじ５を設け、且つ環状部３ａと抑えねじ５の頭部との間にスプリング６を介装すると共に、環状部３ａに通した抑えねじ５をセレーション軸４に螺着した構造になっており、スプリング６の圧縮代の範囲でセレーション軸４とセレーション穴３が係脱するものとなっている。
【００２９】
上記構成を備えた物品支持装置は、保持体３により起立状態となり、支持板１上に載置した物品（図示せず）を支持する。このとき、物品支持装置では、支持板１と保持体３が、互いに任意の回動位置で軸線方向に係脱自在なセレーション軸４とセレーション穴３により連結してあるので、得ようとする物品の姿勢に対応して支持板１の角度を自由に設定し得る。
【００３０】
すなわち、物品支持装置は、図１（ｄ）に示すように、スプリング６を圧縮しつつセレーション穴３からセレーション軸４を離脱させると、スプリング６の反発力に抗した状態で双方を任意の回動位置に変更することができる。この際、当該物品支持装置では、セレーション穴３とセレーション軸４は外れるが、環状部３ａ、スプリング６及び抑えねじ５によってそれ以上の抜けを阻止し、支持板１と保持体２が完全に分離しないようにする。そして、任意の回動位置に変更した後には、スプリング６の反発力によりセレーション穴３とセレーション軸４を再係合させれば、その回動位置に対応した角度で支持板１を保持する。
【００３１】
このように、上記の物品支持装置は、セレーション機構により、保持体２に対して支持板１の角度を自由に設定し且つその状態を確実に維持することができ、これにより物品を任意の姿勢にして支持することができ、商品の展示や小物類の支持に非常に好適なものとなる。
【００３２】
なお、支持板１や保持体２には、プラスチックのほか金属等の各種材料を用いることができ、様々な色彩（透明を含む）や形状を採用し得る。また、支持板１の上面には、任意の角度で物品を支持するために、物品の下部を受ける適当な突起部分や滑り止めを設けることが有効であり、保持体２の下面には、当該物品支持装置自体の滑り止めを設けることが有効である。
【００３３】
上記の滑り止めには、支持板１や保持体２に直接形成した凹凸などのほか、支持板１や保持体２と別材料のものを採用し得る。とくに、別材料の滑り止めには、例えばアクリル系熱可塑性エラストマーが好適であるが、当然その他の樹脂や天然ゴムあるいは合成ゴムを用いることも可能である。この滑り止めは、とくに支持板１においては、上面全体又は一部に設けることができ、一部に設ける場合には、点状、線状及び適宜の平面形状等とし、これらを規則的に配置するのが良い。また、滑り止めを吸盤状に成形することも良い。さらに、滑り止めは、二重成形により一体成形したり、予め成形してから加熱や接着剤などの手段で固着させるようにしても良い。
【００３４】
図２に示す物品支持装置は、先の実施例における保持体が、いずれも平面状の第１保持片と第２保持片で構成されているのに対して、保持体２の第２保持片２ｂが、第１保持２ａに滑らかに連続する曲面状を成している。この実施例にあっても、先の実施例と同様の効果を得ることができる。
【００３５】
図３に示す物品支持装置は、下面に連結部１１ａを有する支持板１１と、保持体１２を備えると共に、保持体１２が、支持板１１とほぼ同じ大きさで且つ上面に連結部１３ａを有する板部材１３と、上下端に連結部１４ａ，１４ａを有する脚部材１４を備えている。支持板１１及び板部材１３の連結部１１ａ，１３ａには、先の実施例と同様にセレーション穴が設けてあり、これに対して、脚部材１４の連結部１４ａ，１４ａには、セレーション軸が設けてあり、また、セレーション機構には、セレーション穴及びセレーション軸のほか、先の実施例（図１参照）と同様に、環状部、抑えねじ及びスプリングが含まれている。
【００３６】
上記の物品支持装置は、先の実施例と同様の効果を得ることができるうえに、保持体１２を構成する脚部材１４の上下において、支持板１１及び板部材１３の角度調整を行うことができ、さらに、上下を逆にして使用したり、支持板１１及び板部材１３を立てて使用したりすることもできる。
【００３７】
図４及び図５に示す物品支持装置は、保持体２２が、支持板２１の両端を保持する二つの保持脚２３，２３を備えている。各保持脚２３は、三角形状を成している。そして、支持板２１の下面両端に、セレーション軸４を有する連結部２１ａ，２１ａが設けてあると共に、各保持脚２３の上端に、セレーション穴３を有する連結部２３ａが設けてあり、セレーション機構には、セレーション穴３及びセレーション軸４のほか、先の実施例（図１参照）と同様に、環状部、抑えねじ５及びスプリング６が含まれている。
【００３８】
上記の物品支持装置は、先の実施例と同様の効果を得ることができるうえに、保持体２２を構成する二つの保持脚２３で支持板２１の両端を保持することから、姿勢がより安定したものとなり、物品の支持機能を向上させることができると共に、大型の物品にも対処し得るものとなる。
【００３９】
図６〜図８に示す物品支持装置は、先の実施例と同様に、保持体３２が、支持板３１の両端を保持する二つの保持脚３３，３３を備え、各保持脚３３に、セレーション穴３を有する連結部３３ａが設けてある。他方、支持体３１は、互いに係脱可能であり且つ同一平面状に連結される複数（図示では二枚）の支持プレート３４を備えていると共に、両側に、セレーション軸４を有する支持具３５を係脱可能に備えている。なお、セレーション機構には、セレーション穴３及びセレーション軸４のほか、先の実施例（図１参照）と同様に、環状部、抑えねじ５及びスプリング６が含まれている。
【００４０】
支持板３１の支持プレート３４は、図７に示す下面の中央に、扁平な断面鳩尾状の連結用溝３４ａが幅方向にわたって形成してあり、この連結用溝３４ａに嵌合する板状の連結用プレート３６により、互いに係脱可能であり且つ同一平面状に連結される。また、支持具３５は、セレーション軸４のほか、連結用プレート３６と同じ断面形状の嵌合部３５ａを一体的に有しており、この嵌合部３５ａが支持プレート３４の連結用溝３４ａに係脱可能になっている。
【００４１】
上記の物品支持装置は、先の実施例と同様の効果を得ることができるうえに、支持板３１が、支持具３５を係脱可能に備えると共に、互いに係脱可能な複数の支持プレート３４を備えているので、支持する物品の大きさや形状に対応して、異なる支持板との交換を行ったり、支持プレート３４の数を増減して支持体３１の大きさを変更したりすることができる。
【００４２】
図９及び図１０に示す物品支持装置は、基本的に図６〜図８に示す実施例のものと同様の構成であるが、支持具３５が、嵌合部３５ａの上側に対向する抑え片３５ｂを有している。そして、嵌合部３５ａを支持プレート３４の連結用溝３４ａに嵌合した際、抑え片３５ｂを支持プレート３４の上面に当接させることにより、支持板３１をより強固に保持し得るものとなっている。
【００４３】
図１１に示す物品支持装置は、例えばプラスチック製の矩形の支持板４１と、湾曲した板状の保持体４２を備えると共に、支持板４１の端部に、傾斜状態において物品の下側を受ける支持突部４１ａが一体的に設けてある。この実施例の支持突部４１ａは、下側を曲面とした中空状を成し、支持板４１の左右方向にわたって設けたものである。なお、支持突部は、突片状の簡単な形態にしたり複数箇所に設けたりしても良いが、上記の如く下側を曲面にすれば、当該物品支持装置を載置する面に損傷を与えるような心配が無いという利点がある。
【００４４】
また、物品支持装置は、図１２に示すように、支持板４１の背面に連結具４３が設けてあり、この連結具４３を介して保持体４２を角度調整可能に連結すると共に、連結具４３と保持体４２の間にセレーション機構を備えている。
【００４５】
連結具４３は、図１２（ａ）に示すように、一方の連結軸４４を有する一方の取付け部材４５と、他方の連結軸４６を有する他方の取付け部材４７を備えている。一方の連結軸４４は、その先端側（図１２において右側）に、当該連結軸４４よりも小径で且つ中空状のセレーション軸４を連続して有している。他方の連結軸４６は、セレーション軸４よりも小径であると共に、その先端側（図１２において左側）に、セレーション軸４の内側に嵌合する小径部４８を連続して有している。これに対して、保持体４２は、上端部の中央に、内側をセレーション穴３とした円筒状の連結部４２ａが設けてある。
【００４６】
上記の連結具４３は、保持体４２のセレーション穴３に他方の連結軸４４を通した状態にして、一方の連結軸４４のセレーション軸４の内側に他方の連結軸４６の小径部４８を嵌合し、この作業に前後して、両取付け部材４５，４７を支持板４１の背面に固定する。
【００４７】
これにより、当該物品支持装置では、図１２（ｂ）に示すように、保持体４２を他方の取付け部材４７側（図１２において右側）にずらせると、セレーション軸４とセレーション穴３との係合が解除され、支持板４１に対して保持体４２が回動自在となる。また、任意の回動位置において、図１２（ｃ）に示すように、保持体４２を一方の取付け部材４５側にずらせると、セレーション軸４とセレーション穴３とが係合し、保持体４２をその回動角度で維持する。
【００４８】
上記の物品支持装置は、先の実施例と同様の効果を得ることができるうえに、傾斜状態にした支持板４１で物品を支持するに際して、支持板４１に物品の下部を受ける支持突部４１ａを設けているので、大型の物品であってもこれをより一層安定して支持し得るものとなっている。
【００４９】
図１３に示す物品支持装置は、支持板５１と、湾曲した板状の保持体５２を備えると共に、とくに、支持板５１が、内部に光源５３を収容した本体部分と、本体部分の表側を形成する透光板５４を備えている。なお、支持板５１と保持体５２は、先の実施例と同様の連結具及びセレーション機構（図１２参照）を介して角度調整可能に連結してある。
【００５０】
支持板５１は、上述の如く光源５３を収容した矩形状の本体部分を備え、本体部分の表側に透光板５４を備えると共に、透光板５４の表側に滑り止め５５を備えている。図示の光源５３は、細長い冷陰極管であって、矩形状の本体部分の内部において片側又は両側の辺に沿って収容してある。
【００５１】
支持板５１の本体部分は、例えばプラスチック製であって、裏板５６と、裏板５６の三辺に沿う枠部５７を有すると共に、枠部５７の内周側に透光板５４の保持溝５８が形成してあり、透光板５４と裏板５６の間に光源５３を収容する。また、本体部分は、残る一辺に、枠部５７とともに支持板５１の外周部を形成するキャップ５９が着脱可能に設けてあり、このキャップ５９を取り外すと、図中に仮想線で示すように、透光板５４をスライドさせる要領で着脱することができる。
【００５２】
透光板５４は、例えばプラスチック製であって、内側の第１板部材５４Ａと、外側の第２板部材５４Ｂを備えた二重構造になっており、第１及び第２の板部材５４Ａ，５４Ｂの間に、フィルムや写真等のシート材を挟み込むことができる。このとき、透光板５４は、シート材の挟み込みを考慮して、少なくとも外側の第２板部材５４Ｂを透明なものとし、内側の第２板部材５４Ａを曇り硝子の如き半透明なものとしている。なお、第２板部材５４Ａは、透明なものでも良いが、シート材の無い状態で使用することも当然あり得るので、半透明なものにして光源５３等が外部から見えないようにすることが望ましい。
【００５３】
滑り止め５５は、透光性を有するシート状の部材から成るものであって、この実施例では透明なものであり、透光板５４の表側（第２板部材５４Ｂの表側）に対して全面に貼り付けてある。また、滑り止め５５は、粘着性を有しており、その粘着性が物品の支持機能をより高める働きをすると共に、接着剤等の手段を何ら用いずに透光板５４に貼り付けることができ、なお且つ剥がすこともできる。したがって、滑り止め５５の交換や透光板５４の清掃などに対処することが容易である。
【００５４】
上記の滑り止め５５は、その材料がとくに限定されるものではないが、透光性や粘着性などの特性を有するものとして、例えばアクリル系熱可塑性エラストマーを用いることができ、その他に合成ゴムや天然ゴムを用いることも可能である。
【００５５】
上記の物品支持装置は、先の実施例と同様の効果を得ることができるうえに、光源５３及び透光板５４によって支持板５１に照明機能が付加されたものとなり、支持板５１上の物品に対して背後から照明を行って、物品をより一層際立たせて展示することができ、しかも、滑り止め５５により物品を所定の位置に所定の姿勢で保持し得るものであって、ＰＯＰ用品としての展示機能を大幅に高めることができる。
【００５６】
また、透光性を有するシート状の部材から成る滑り止め５５を採用したことにより、照明を妨げることなく透光板５４の全面に滑り止めを設けることができ、しかも、第１及び第２の板部材５４Ａ，５４Ｂを備えた二重構造の透光板５４を採用しているので、彩色や模様を施したフィルムを両部材５４Ａ，５４Ｂの間に挟み込んだり、物品と関連する写真やシート状の広告を両部材５４Ａ，５４Ｂの間に挟み込んだりすることで、より一層興味深いものとなる。
【００５７】
上記実施例の物品支持装置では、光源５３として、冷陰極管のほかに発光ダイオードなどを用いることができ、色彩が異なる複数の光源を用いて手動又は自動で照明の色を変化させるようにしても良い。また、滑り止め５５は、シート状の部材のほかに、点状あるいは線状のものを用いることができ、透光板５４に一体成形することも可能である。
【００５８】
さらに、図中に仮想線で示すように、支持板５１の下側に、傾斜状態において物品の下部を受ける支持突部５１を設けることができ、これにより、先の実施例と同様に、大型の物品であってもこれをより一層安定して支持し得るものとなる。
【００５９】
なお、本発明に係わる物品支持装置は、その詳細な構成が上記各実施例に限定されるものではなく、図１１〜図１３に示す実施例のように、セレーション機構がスプリングや抑えねじを含まないものであっても良く、例えば、セレーション機構がセレーション穴とセレーション軸のみで構成される場合には、保持体を構成する保持脚を二つ以上にして複数の支持板（又は支持プレート）を保持するようにし、この際、中間の保持脚の連結部に、左右両側に対応可能なセレーション穴又はセレーション軸を設けることも可能である。
【図面の簡単な説明】
【００６０】
【図１】本発明の物品支持装置の一実施例を説明する斜視図（ａ）、分解状態の斜視図（ｂ）、セレーション機構の係合状態を示す断面図（ｃ）及びセレーション機構の離脱状態を示す断面図（ｄ）である。
【図２】本発明の物品支持装置の他の実施例を説明する斜視図である。
【図３】本発明の物品支持装置のさらに他の実施例を説明する斜視図である。
【図４】本発明の物品支持装置のさらに他の実施例を説明する斜視図である。
【図５】図５に示す物品支持装置の保持脚の斜視図である。
【図６】本発明の物品支持装置のさらに他の実施例を説明する斜視図である。
【図７】支持プレートの下面及び連結用プレートを示す斜視図である。
【図８】図６に示す物品支持装置の分解状態の斜視図である。
【図９】本発明の物品支持装置のさらに他の実施例を説明する斜視図である。
【図１０】図９に示す物品支持装置の保持脚の斜視図である。
【図１１】本発明の物品支持装置のさらに他の実施例を説明する斜視図である。
【図１２】図１１に示す物品支持装置の連結具及び保持体を説明する斜視図（ａ）、セレーション軸とセレーション穴との係合を解除した状態を示す要部の斜視図（ｂ）、及びセレーション軸とセレーション穴とを係合した状態を示す要部の斜視図（ｃ）である。
【図１３】本発明の物品支持装置のさらに他の実施例を説明する斜視図である。
【符号の説明】
【００６１】
１  １１  ２１  ３１  支持板
２  １２  ２２  ３２  保持体
３                    セレーション穴
３ａ                  環状部
４                    セレーション軸
５                    抑えねじ
６                    スプリング
２３  ３３            保持脚
３４                  支持プレート
３５                  支持具
４１  ５１            支持板
４１ａ  ５１ａ        支持突部
４２  ５２            保持体
５３                  光源
５４                  透光板
【図１】
2005095589.tif 000003
【図２】
2005095589.tif 000004
【図３】
2005095589.tif 000005
【図４】
2005095589.tif 000006
【図５】
2005095589.tif 000007
【図６】
2005095589.tif 000008
【図７】
2005095589.tif 000009
【図８】
2005095589.tif 000010
【図９】
2005095589.tif 000011
【図１０】
2005095589.tif 000012
【図１１】
2005095589.tif 000013
【図１２】
2005095589.tif 000014
【図１３】
2005095589.tif 000015